(57)【要約】【課題】ＳＦＮ放送波中継において、ＳＦＮエリアにおける受信不良を自動で感知し、その受信不良を自動で解消することが可能な地上デジタル放送システム及び、その運用管理方法と管理装置を提供する。【解決手段】本発明に係る送信管理システムでは、親局１０とＳＦＮ関係にある中継局２０に設置されたフィールド測定器２１と、監視所３０に設置されたフィールド測定器３１との測定結果を、演奏所４０で一括管理する。演奏所４０は、それらの測定結果に基づいて、監視所３０で受信される放送波がＳＦＮの条件を満たすか否か及び、中継局２０に異常があるか否かを判定する。その判定結果に基づいて、中継局２０の出力を制御する。【選択図】      図１
2008311864.tif 000002
【特許請求の範囲】
【請求項１】
地上デジタル放送の放送波を送信する親局装置と、
前記親局装置から送信される放送波と同じ放送波をＳＦＮ（Single Frequency Network：単一周波数網）の関係で送信する中継局装置と、
前記親局装置及び前記中継局装置が送信する放送波を受信することが可能なＳＦＮエリアに位置し、当該放送波を受信する受信端末装置と、
前記受信端末装置で受信される前記地上デジタル放送のフィールド信号の品質を測定して測定情報を取得する品質測定装置と、
前記品質測定装置で得られる測定情報に基づいて前記受信端末装置で受信した放送波に受信不良が発生したか否かを判定する判定部と、前記判定部により受信不良が発生したと判定された場合、前記受信端末装置で受信した放送波を送信している中継局装置を特定してその出力を制御する制御部とを有する管理装置と
を具備することを特徴とする地上デジタル放送システム。
【請求項２】
前記品質測定装置は、前記品質の測定を定期的に行ってその測定結果を前記測定情報として前記管理装置に通知し、
前記管理装置の判定部は、前記品質測定装置からの測定情報が許容範囲を超えるとき前記受信不良が発生したと判定することを特徴とする請求項１に記載の地上デジタル放送システム。
【請求項３】
前記品質測定装置は、前記品質の測定結果に異常があるか判定してその判定結果を前記測定情報として前記管理装置に通知し、
前記管理装置の判定部は、前記品質測定装置からの測定情報として異常の判定結果が通知されるとき前記受信不良が発生したと判定することを特徴とする請求項１に記載の地上デジタル放送システム。
【請求項４】
前記制御部は、前記中継局装置の出力の停止、出力レベルの抑制、出力の方向を制限する、出力位相の調整のいずれか１つ、又は、いずれかを組み合わせた制御を行うことを特徴とする請求項１に記載の地上デジタル放送システム。
【請求項５】
地上デジタル放送の放送波を送信する親局装置と、
前記親局装置から送信される放送波と同じ放送波をＳＦＮ（Single Frequency Network：単一周波数網）の関係で送信する中継局装置と、
前記親局装置及び前記中継局装置が送信する放送波を受信することが可能なＳＦＮエリアに位置し、当該放送波を受信する受信端末装置と、
前記受信端末装置で受信される前記地上デジタル放送のフィールド信号の品質を測定して第１の測定情報を取得する第１の品質測定装置と、
前記中継局装置が放送する地上デジタル放送のフィールド信号の品質を測定して第２の測定情報を取得する第２の品質測定装置と、
前記第１及び第２の品質測定装置で得られる第１及び第２の測定情報を収集する測定情報収集部と、前記測定情報収集部で収集された第１の測定情報に基づいて前記受信端末装置で受信した放送波に受信不良が発生したか否かを判定し、前記受信不良が発生したと判定された場合に前記第２の測定情報に基づいて前記中継局装置に異常が発生したか否かを判定する判定部と、前記判定部において、前記受信端末装置で受信した放送波に受信不良が発生したと判定され、かつ、前記中継局装置に異常が発生したと判定された場合は、前記異常発生と判定された中継局装置に出力を停止させ、前記受信端末装置で受信した放送波に受信不良が発生したと判定され、かつ、前記中継局装置に異常が発生していないと判定された場合は、前記中継局装置の出力を制御する制御部とを有する管理装置と
を具備することを特徴とする地上デジタル放送システム。
【請求項６】
前記第１及び第２の品質測定装置は、前記品質の測定を定期的に行ってその測定結果をそれぞれ前記第１及び第２の測定情報として前記管理装置に通知し、
前記管理装置の判定部は、前記第１の品質測定装置からの第１の測定情報が許容範囲を超えるとき前記受信不良が発生したと判定し、前記第２の品質測定装置からの第２の測定情報が許容範囲を超えるとき前記中継局装置に異常が発生したと判定することを特徴とする請求項５に記載の地上デジタル放送システム。
【請求項７】
前記第１の品質測定装置は、前記品質の測定結果に異常があるか判定してその判定結果を前記第１の測定情報として前記管理装置に通知し、
前記第２の品質測定装置は、前記品質の測定結果に異常があるか判定してその判定結果を前記第２の測定情報として前記管理装置に通知し、
前記管理装置の判定部は、前記品質測定装置からの測定情報として異常の判定結果が通知されるとき前記受信不良が発生したと判定し、前記第２の品質測定装置からの第２の測定情報として異常の判定結果が通知されるとき前記中継局装置に異常が発生したと判定することを特徴とする請求項５に記載の地上デジタル放送システム。
【請求項８】
前記制御部は、前記中継局装置の出力の停止、出力レベルの抑制、出力の方向を制限する、出力位相の調整のいずれか１つ、又は、いずれかを組み合わせた制御を行うことを特徴とする請求項５に記載の地上デジタル放送システム。
【請求項９】
地上デジタル放送の放送波を送信する親局装置と、前記親局装置から送信される放送波と同じ放送波をＳＦＮ（Single Frequency Network：単一周波数網）の関係で送信する中継局装置と、前記親局装置及び前記中継局装置が送信する放送波を受信することが可能なＳＦＮエリアに位置し、当該放送波を受信する受信端末装置と、前記受信端末装置で受信される前記地上デジタル放送のフィールド信号の品質を測定して測定情報を取得する品質測定装置とを具備する地上デジタル放送システムに用いられる管理装置であって、
前記品質測定装置で得られる測定情報に基づいて前記受信端末装置で受信した放送波に受信不良が発生したか否かを判定する判定部と、
前記判定部により受信不良が発生したと判定された場合、前記受信端末装置に放送波を送信している中継局装置を特定してその出力を制御する制御部と
を具備することを特徴とする管理装置。
【請求項１０】
地上デジタル放送の放送波を送信する親局装置と、前記親局装置から送信される放送波と同じ放送波をＳＦＮ（Single Frequency Network：単一周波数網）の関係で送信する中継局装置と、前記親局装置及び前記中継局装置が送信する放送波を受信することが可能なＳＦＮエリアに位置し、当該放送波を受信する受信端末装置と、前記受信端末装置で受信される前記地上デジタル放送のフィールド信号の品質を測定して第１の測定情報を取得する第１の品質測定装置と、前記中継局装置が放送する地上デジタル放送のフィールド信号の品質を測定して第２の測定情報を取得する第２の品質測定装置とを具備する地上デジタル放送システムに用いられる管理装置であって、
前記第１及び第２の品質測定装置で得られる第１及び第２の測定情報を収集する測定情報収集部と、
前記測定情報収集部で収集された第１の測定情報に基づいて前記受信端末装置に受信不良が発生したか否かを判定し、前記受信端末装置に受信不良が発生したと判定された場合に前記第２の測定情報に基づいて前記中継局装置に異常が発生したか否かを判定する判定部と、
前記判定部において、前記受信端末装置で受信した放送波に受信不良が発生したと判定され、かつ、前記中継局装置に異常が発生したと判定された場合は、前記異常発生と判定された中継局装置に出力を停止させ、前記受信端末装置で受信した放送波に受信不良が発生したと判定され、かつ、前記中継局装置に異常が発生していないと判定された場合は、前記中継局装置の出力を制御する制御部と
を具備することを特徴とする管理装置。
【請求項１１】
地上デジタル放送の放送波を送信する親局装置と、前記親局装置から送信される放送波と同じ放送波をＳＦＮ（Single Frequency Network：単一周波数網）の関係で送信する中継局装置と、前記親局装置及び前記中継局装置が送信する放送波を受信することが可能なＳＦＮエリアに位置し、当該放送波を受信する受信端末装置と、前記受信端末装置で受信される前記地上デジタル放送のフィールド信号の品質を測定して測定情報を取得する品質測定装置とを具備する地上デジタル放送システムに用いられる地上デジタル放送システムの運用管理方法において、
前記測定情報を収集し、
前記収集された測定情報に基づいて前記受信端末装置で受信した放送波に受信不良が発生したか否かを判定し、
前記判定の結果、受信不良が発生したと判定された場合、前記受信端末装置に放送波を送信している中継局装置を特定してその出力を制御することを特徴とする地上デジタル放送システムの運用管理方法。
【請求項１２】
前記品質測定装置は、前記品質の測定を定期的に行ってその測定結果を前記測定情報として通知し、
前記受信不良が発生したか否かの判定は、前記品質測定装置からの測定情報が許容範囲を超えるとき前記受信不良が発生したと判定することを特徴とする請求項１１に記載の地上デジタル放送システムの運用管理方法。
【請求項１３】
前記品質測定装置が、前記品質の測定結果に異常があるか判定してその判定結果を前記測定情報として通知してきた場合、前記受信不良が発生したと判定することを特徴とする請求項１１に記載の地上デジタル放送システムの運用管理方法。
【請求項１４】
前記中継局装置の出力の制御は、前記中継局装置の出力の停止、出力レベルの抑制、出力の方向の制限、出力位相の調整のいずれか１つ、又は、いずれかを組み合わせた制御を行うことを特徴とする請求項１１に記載の地上デジタル放送システムの運用管理方法。
【請求項１５】
地上デジタル放送の放送波を送信する親局装置と、前記親局装置から送信される放送波と同じ放送波をＳＦＮ（Single Frequency Network：単一周波数網）の関係で送信する中継局装置と、前記親局装置及び前記中継局装置が送信する放送波を受信することが可能なＳＦＮエリアに位置し、当該放送波を受信する受信端末装置と、前記受信端末装置で受信される前記地上デジタル放送のフィールド信号の品質を測定して第１の測定情報を取得する第１の品質測定装置と、前記中継局装置が放送する地上デジタル放送のフィールド信号の品質を測定して第２の測定情報を取得する第２の品質測定装置とを具備する地上デジタル放送システムに用いられる地上デジタル放送システムの運用管理方法において、
前記第１及び第２の測定情報を収集し、
前記収集された第１の測定情報に基づいて前記受信端末装置で受信した放送波に受信不良が発生したか否かを判定し、
前記受信不良が発生したと判定された場合に前記第２の測定情報に基づいて前記中継局装置に異常が発生したか否かを判定し、
前記判定の結果、前記受信端末装置で受信した放送波に受信不良が発生したと判定され、かつ、前記中継局装置に異常が発生したと判定された場合は、前記異常発生と判定された中継局装置に出力を停止させ、前記受信端末装置で受信した放送波に受信不良が発生したと判定され、かつ、前記中継局装置に異常が発生していないと判定された場合は、前記中継局装置の出力を制御することを特徴とする地上デジタル放送システムの運用管理方法。
【請求項１６】
前記第１及び第２の品質測定装置は、前記品質の測定を定期的に行ってその測定結果をそれぞれ前記第１及び第２の測定情報として前記管理装置に通知し、
前記受信不良が発生したか否かの判定は、前記第１の品質測定装置からの第１の測定情報が許容範囲を超えるとき前記受信不良が発生したと判定し、
前記中継局装置の異常が発生したか否かの判定は、前記第２の品質測定装置からの第２の測定情報が許容範囲を超えるとき前記中継局装置に異常が発生したと判定することを特徴とする請求項１５に記載の地上デジタル放送システムの運用管理方法。
【請求項１７】
前記第１の品質測定装置が、当該第１の品質測定装置で測定される測定結果に異常があるか判定してその判定結果を前記第１の測定情報として通知してきた場合、前記受信不良が発生したと判定し、
前記第２の品質測定装置が、当該第２の品質測定装置で測定される測定結果に異常があるか判定してその判定結果を前記第２の測定情報として通知してきた場合、前記中継局装置に異常が発生したと判定することを特徴とする請求項１５に記載の地上デジタル放送システムの運用管理方法。
【請求項１８】
前記中継局装置の出力の制御は、前記中継局装置の出力の停止、出力レベルの抑制、出力の方向を制限、出力位相の調整のいずれか１つ、又は、いずれかを組み合わせた制御を行うことを特徴とする請求項１５に記載の地上デジタル放送システムの運用管理方法。
【発明の詳細な説明】
【技術分野】
【０００１】
本発明は、地上デジタル放送において、ＳＦＮ方式で送信される放送波を受信可能なＳＦＮエリアにおける受信状況を管理する地上デジタル放送システム及び、その運用管理方法と管理装置に関する。
【背景技術】
【０００２】
地上デジタル放送において構築されるＳＦＮ（Single Frequency Network：単一周波数網）では、放送波の中継用に新たな周波数を必要とせず、不足しがちな周波数資源を有効に活用することができる。
【０００３】
しかしながら、ＳＦＮの関係にある中継局の放送波出力が、中継回線のフェージングや機器の故障等によるＢＥＲ（Bit Error Rate：ビット誤り率）の劣化によりＳＦＮの条件を満たさなくなると、ＳＦＮエリアに存在する受信器は、その復調部入力で所要のＣ／Ｎを満足しなくなるため、放送波を受信することができなくなる。また、ＢＥＲの劣化を補償するために、中継局に補償装置を導入する、中継回線のルートを切り替える等の処理を施すことがあるが、その結果、放送波の遅延時間にずれが生じてＳＦＮの条件が満たされなくなることもある。
【０００４】
なお、局監視装置により中継局を監視し、管理制御センターでその監視結果に基づいて中継局の稼働状況をリアルタイムで把握する局監視システムが考えられている（例えば、特許文献１参照。）。ただし、この局監視システムでは、ＳＦＮについては考慮されていない。また、中継局の稼働状況が思わしくない場合でも、管理制御センターが自動で中継局の放送波出力を制御することはない。
【特許文献１】特開２００６−２４６０８２号公報
【発明の開示】
【発明が解決しようとする課題】
【０００５】
以上述べたように、従来では、中継回線のフェージングや機器の故障によるＢＥＲの劣化及び、補償装置の導入や中継回線のルートの切り替えによる放送波の遅延時間のずれ等により、ＳＦＮの条件が満たされなくなることにより、ＳＦＮエリアにおいて放送波が受信できない場合があった。
【０００６】
本発明は、上記問題を解決するためになされたもので、その目的は、ＳＦＮ放送波中継において、ＳＦＮエリアにおける受信不良を自動で感知し、その受信不良を自動で解消することが可能な地上デジタル放送システム及び、その運用管理方法と管理装置を提供することにある。
【課題を解決するための手段】
【０００７】
上記目的を達成するために、本発明に係る地上デジタル放送システムは、地上デジタル放送の放送波を送信する親局装置と、前記親局装置から送信される放送波と同じ放送波をＳＦＮ（Single Frequency Network：単一周波数網）の関係で送信する中継局装置と、前記親局装置及び前記中継局装置が送信する放送波を受信することが可能なＳＦＮエリアに位置し、当該放送波を受信する受信端末装置と、前記受信端末装置で受信される前記地上デジタル放送のフィールド信号の品質を測定して測定情報を取得する品質測定装置と、前記品質測定装置で得られる測定情報に基づいて前記受信端末装置で受信した放送波に受信不良が発生したか否かを判定する判定部と、前記判定部により受信不良が発生したと判定された場合、前記受信端末装置で受信した放送波を送信している中継局装置を特定してその出力を制御する制御部とを有する管理装置とを具備する。
【０００８】
また、本発明に係る地上デジタル放送システムの運用管理方法は、地上デジタル放送の放送波を送信する親局装置と、前記親局装置から送信される放送波と同じ放送波をＳＦＮ（Single Frequency Network：単一周波数網）の関係で送信する中継局装置と、前記親局装置及び前記中継局装置が送信する放送波を受信することが可能なＳＦＮエリアに位置し、当該放送波を受信する受信端末装置と、前記受信端末装置で受信される前記地上デジタル放送のフィールド信号の品質を測定して測定情報を取得する品質測定装置とを具備する地上デジタル放送システムに用いられる地上デジタル放送システムの運用管理方法において、前記測定情報を収集し、前記収集された測定情報に基づいて前記受信端末装置で受信した放送波に受信不良が発生したか否かを判定し、前記判定の結果、受信不良が発生したと判定された場合、前記受信端末装置に放送波を送信している中継局装置を特定してその出力を制御する。
【０００９】
上記構成による地上デジタル放送システムとその運用管理方法では、受信端末装置が設置されているところに設置された品質測定装置により、地上デジタル放送のフィールド信号の品質を測定し、その測定情報に基づいて受信端末装置において受信不良が発生したか否かを判定する。そして、受信不良が発生した場合、中継局装置の出力を制御し、受信端末装置における受信不良を解消するようにしている。これにより、ＳＦＮエリア内の受信端末装置における受信不良を自動で検知し、その不良を自動で解消することが可能となる。
【発明の効果】
【００１０】
本発明では、受信端末装置における受信不良を自動で感知し、その受信不良を自動で解消することにより、ＳＦＮエリアにおける受信状況を自動で管理することのできる地上デジタル放送システムとその運用管理方法を提供することができる。
【発明を実施するための最良の形態】
【００１１】
以下、図面を参照しながら本発明の実施の形態について詳細に説明する。
【００１２】
図１は、本発明の第１の実施形態に係る送信管理システムの概略構成図を示すブロック図である。図１に示す送信管理システムにおいて、親局（送信所）１０は、中継局２０及び監視所３０にＯＦＤＭ（Orthogonal Frequency Division Multiplexing：直交周波数分割多重）方式の放送波を送信する。中継局２０は、親局１０とＳＦＮの関係にあり、親局１０から送信された放送波と同じ周波数で送信する。監視所３０は、親局１０が形成するＳＦＮエリア及び、中継局２０が形成するＳＦＮエリアの両方に所属しており、親局１０からの放送波と、中継局２０からの放送波とを受信する。ここで受信される放送波にはガードインターバルが付加されているため、中継局２０が正常に稼動している場合には、親局１０から送信された信号と中継局２０で中継された信号とは干渉し合うことはなく、監視所３０は、ＳＦＮの条件を満たした放送波を受信することができる。
【００１３】
ここで、中継局２０及び監視所３０には、フィールド信号の品質を測定するフィールド測定器２１，３１がそれぞれ設置される。フィールド測定器２１は、中継局２０におけるフィールド信号の品質を定期的に測定する。また、フィールド測定器３１は、監視所３０におけるフィールド信号の品質を定期的に測定する。なお、フィールド測定器２１，３１で測定するフィールド信号としては、Ｃ／Ｎ値、ＭＥＲ値、ＢＥＲ、遅延プロファイル、入力レベル等があげられる。
【００１４】
演奏所（又は委託監視法人社屋）４０は、マスター設備（ＭＵＸ）４１及び送信設備（ＳＴＬ）４２と共にＴＭＳ（Transmitting Management System：送信管理システム）センター機器４３を具備している。
【００１５】
上記ＴＭＳセンター機器４３は、具体的には図２に示すように構成される。図２において、制御部４３１は、通信インターフェース（通信Ｉ／Ｆ）４３２を通じてフィールド測定器２１，３１とアクセスし、フィールド測定器２１，３１で定期的に測定される測定情報を収集し、測定情報データベース４３３に登録して一括管理する。そして、判定部４３４で、フィールド測定器２１，３１の測定情報に基づいて、監視所３０で受信不良が発生したか否か及び、中継局２０に異常があるか否かを判定する。ここで、監視所３０での受信不良の発生は、監視所３０で受信された放送波がＳＦＮの条件を満たさなくなることをいう。また、中継局２０での異常の発生は、中継局２０におけるフィールド信号の品質が許容範囲を超えることをいう。
【００１６】
制御部４３１は、監視所３０における放送波がＳＦＮの条件を満たさないと判定され、かつ、中継局２０に異常があると判定された場合、中継局２０の異常が監視所３０における受信不良を引き起こしているとして、中継局２０の出力を停止させる。また、監視所３０における放送波がＳＦＮの条件を満たさないと判定され、かつ、中継局２０に異常がないと判定された場合、中継局２０が親局１０の放送波に対する妨害波を送出しているとして、中継局２０の出力を制御する。このときの出力の制御は、中継局２０の出力の停止、出力レベルの抑制、出力の方向を制限する、出力位相の調整のいずれか１つ、又は、いずれかを組み合わせたものである。
【００１７】
制御部４３１は、中継局２０の出力を制御した後に、監視所３０の測定情報を再度収集することにより、監視所３０で受信不良が解消したことを確認する。さらに、制御部４３１は、監視所３０における受信不良が解消されるまで上記処理を繰り返す。
【００１８】
次に、上記構成における送信管理システムの制御部４３１の処理動作を説明する。
【００１９】
図３は、本発明の一実施形態に係る制御部４３１の処理動作を示すフローチャートである。まず、制御部４３１は、各フィールド測定器２１，３１から測定情報を収集し（ステップＳ１）、ＳＦＮエリアの監視所３０におけるフィールド信号の品質を監視する（ステップＳ２）。測定情報データベースに記録された監視所３０の測定情報に基づき、判定部４３４により、監視所３０で受信される放送波がＳＦＮの条件を満たすか否かを判定する（ステップＳ３）。ＳＦＮの条件を満たさないと判定した場合（ステップＳ３のＮｏ）、測定情報データベース４３３に記録された中継局２０についての測定情報に基づき、判定部４３４により、中継局２０で異常が発生したか否かを判定する（ステップＳ４）。監視所３０の放送波がＳＦＮの条件を満たす場合（ステップＳ３のＹｅｓ）、処理をステップＳ１へ進め、フィールド測定器２１，３１の測定情報を収集する。
【００２０】
制御部４３１は、ステップＳ４において、中継局２０で異常が発生したと判定した場合（ステップＳ４のＹｅｓ）、中継局２０を停止させる（ステップＳ５）。そして、監視所３０の測定情報を再度確認し（ステップＳ６）、処理をステップＳ３へ進める。
【００２１】
制御部４３１は、ステップＳ４において、中継局２０で異常が発生していないと判定した場合（ステップＳ４のＮｏ）、放送波を中継している中継局２０のうち、親局１０からの放送波に対する妨害波を送出している中継局２０を探索する（ステップＳ７）。続いて、妨害波を送出している中継局２０があるか否かを判断し（ステップＳ８）、該当する中継局２０が発見された場合（ステップＳ８のＹｅｓ）、その中継局２０の放送波の出力を制御し（ステップＳ９）、監視所３０の測定情報を再度確認する（ステップＳ１０）。該当する中継局２０が発見されなかった場合（ステップＳ８のＮｏ）、システムの利用者に監視所３０で発生した受信不良を解決できなかった旨を通知するアラームを鳴らす（ステップＳ１１）。
【００２２】
制御部４３１は、ステップＳ１０において監視所３０の測定情報を確認すると、判定部４３４により、監視所３０の放送波がＳＦＮの条件を満たすか否かを判定する（ステップＳ１２）。ＳＦＮの条件を満たしていない場合（ステップＳ１２のＮｏ）、親局１０からの放送波に対する妨害波を送信していると考えられる中継局２０が他に存在するか否かを判断する（ステップＳ１３）。妨害波を送信する中継局２０が存在する場合（ステップＳ１３のＹｅｓ）、処理をステップＳ９に進める。また、妨害波を送信する中継局２０が存在しない場合（ステップＳ１３のＮｏ）、処理をステップＳ１１へ進める。
【００２３】
ステップＳ１２において、ＳＦＮエリアにおける監視所３０の放送波がＳＦＮの条件を満たしている場合（ステップＳ１２のＮｏ）、処理をステップＳ１に進め、フィールド測定器２１，３１の測定結果を収集する。
【００２４】
以上のように、上記一実施形態における演奏所４０は、親局１０とＳＦＮの関係にある中継局２０に設置されたフィールド測定器２１と、監視所３０に設置されたフィールド測定器３１の測定結果を一括管理し、それらの測定結果に基づいて、監視所３０で受信される放送波がＳＦＮの条件を満たすか否か及び、中継局２０に異常があるか否かを判定する。そして、監視所３０における放送波がＳＦＮの条件を満たさないと判定され、かつ、中継局２０に異常があると判定された場合、中継局２０の出力を停止させる。また、監視所３０における放送波がＳＦＮの条件を満たさないと判定され、かつ、中継局２０に異常がないと判定された場合、中継局２０の出力を制御する。これにより、中継局２０からの妨害波が弱められ、監視所３０は、ＳＦＮの条件を満たす放送波を受信することが可能となる。
【００２５】
したがって、送信管理システムは、監視所３０における放送波の受信不良を自動で感知し、その不良を、中継局２０を制御することにより解消することが可能である。このように、監視所３０における放送波の受信不良を自動で解消することを可能としたことにより、ＳＦＮ方式におけるＳＦＮエリアを自動で確保することが可能となる。
【００２６】
なお、この発明は上記実施形態に限定されるものではない。例えば上記実施形態では、演奏所４０は、フィールド測定器３１が定期的に測定する測定情報のみを収集する例について説明したが、フィールド測定器３１の測定情報に加え、監視所３０で得られる受信画像も収集する場合においても実施可能である。
【００２７】
また、上記実施形態では、演奏所４０がフィールド測定器２１，３１の測定情報を収集する例について説明したが、フィールド測定器２１は、中継局２０におけるフィールド信号の品質の測定結果に異常があるかを判定し、その判定結果を測定情報として演奏所４０に送信する機能をさらに有し、また、フィールド測定器３１も同様に、監視所３０におけるフィールド信号の品質の測定結果に異常があるかを判定し、その判定結果を測定情報として演奏所４０に送信する機能をさらに有する場合においても実施可能である。このとき、演奏所４０の制御部４３１は、フィールド測定器２１から測定情報としての判定結果が通知されると、判定部４３４で、中継局２０に異常が発生したと判定する。また、制御部４３１は、フィールド測定器３１から測定情報として判定結果が通知されると、判定部４３４で、監視所３０で受信不良が発生したと判定する。
【００２８】
さらに、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、親局と中継局との関係で述べたが、中継局同士がＳＦＮの関係にある場合にも適用できる。
【図面の簡単な説明】
【００２９】
【図１】本発明に係る送信管理システムの一実施形態の構成を示す概略図。
【図２】上記一実施形態の演奏所の機能構成を示すブロック図。
【図３】上記一実施形態の制御部の処理動作を示すフローチャート。
【符号の説明】
【００３０】
１０…親局、２０…中継局、２１，３１…フィールド測定器、３０…監視所、４０…演奏所、４１…マスター設備、４２…送信設備、４３…ＴＭＳセンター機器、４３１…制御部、４３２…通信Ｉ／Ｆ、４３３…測定情報データベース、４３４…判定部。
【図１】
2008311864.tif 000003
【図２】
2008311864.tif 000004
【図３】
2008311864.tif 000005